【手続補正書】
【提出日】平成18年3月3日(2006.3.3)
【手続補正１】
【補正対象書類名】明細書
【補正対象項目名】発明の名称
【補正方法】変更
【補正の内容】
【発明の名称】画像形成装置およびその制御方法
【手続補正２】
【補正対象書類名】明細書
【補正対象項目名】特許請求の範囲
【補正方法】変更
【補正の内容】
【特許請求の範囲】
【請求項１】  第１の種類のシートを搬送する第１の搬送手段と、
前記第1の搬送手段により前記第１の種類のシートに画像を所定の向きに形成する画像形成手段と、
前記画像形成手段により画像形成された第１の種類のシートに対して後処理する後処理手段と、
第２の種類のシートを載置する載置手段と、
前記載置手段に載置された第２の種類のシートを搬送する第２の搬送手段と、
前記搬送された第１の種類のシートに前記搬送された第２の種類のシートを挿入する挿入手段とを備えた画像形成装置において、
前記後処理モードおよび前記第２の種類のシートを挿入する挿入モードを個別に設定するモード設定手段と、
前記モード設定手段により前記後処理モードおよび前記挿入モードの両方が設定され、前記第２の種類のシートが挿入された前記第１の種類のシートを後処理する場合に、前記載置手段に載置される前記第２の種類のシートの載置方向を報知する載置方向報知手段とを備えたことを特徴とする画像形成装置。
【請求項２】  前記載置方向報知手段は、前記画像形成手段の画像形成向きに対応する、前記第２の種類のシートの載置方向を報知することを特徴とする請求項１記載の画像形成装置。
【請求項３】  前記第１の種類のシートに対して綴じ位置を設定する綴じ位置としてシートの右側或いは左側を選択的に設定する綴じ位置設定手段を備え、前記画像形成手段は、前記綴じ位置設定手段によって右側が設定された場合と左側が設定された場合とで１８０°異なる向きに画像を形成することを特徴とする請求項１記載の画像形成装置。
【請求項４】  複数のシート給送部と、前記複数の給送部のうち前記載置手段として使用する給送部を指定する指定手段とを有し、前記載置方向報知手段は、前記指定手段により指定された給紙部に応じて、前記第２の種類のシートの載置方向を表示することを特徴とする請求項１記載の画像形成装置。
【請求項５】  第１の種類のシートを搬送する第１の搬送手段と、
前記第1の搬送手段により前記第１の種類のシートに画像を所定の向きに形成する画像形成手段と、
前記画像形成手段により画像形成された第１の種類のシートに対して後処理する後処理手段と、
第２の種類のシートを載置する載置手段と、
前記載置手段に載置された第２の種類のシートを搬送する第２の搬送手段と、
前記搬送された第１の種類のシートに前記搬送された第２の種類のシートを挿入する挿入手段とを備えた画像形成装置の制御方法において、
前記第２の種類のシートが挿入された前記第１の種類のシートに後処理を行う場合、前記載置手段に載置される前記第２の種類のシートの載置方向を報知する載置方向報知ステップを有することを特徴とする画像形成装置の制御方法。
【手続補正３】
【補正対象書類名】明細書
【補正対象項目名】０００１
【補正方法】変更
【補正の内容】
【０００１】
【発明の属する技術分野】
本発明は、画像形成装置およびその制御方法に関する。
【手続補正４】
【補正対象書類名】明細書
【補正対象項目名】０００９
【補正方法】変更
【補正の内容】
【０００９】
【発明が解決しようとする課題】
しかしながら、上記従来の画像形成装置では、シートの挿入と後処理が同時に行われた場合、指定した後処理箇所に合わせて画像回転処理が行われると、画像が形成されたシートと挿入されたシートの向きが不一致となることがあった。
【手続補正５】
【補正対象書類名】明細書
【補正対象項目名】００１０
【補正方法】変更
【補正の内容】
【００１０】
そこで、本発明は、シートの挿入と後処理が組み合わされた場合、画像が形成されたシートと挿入されたシートの向きを揃えることができる画像形成装置およびその制御方法を提供することを目的とする。
【手続補正６】
【補正対象書類名】明細書
【補正対象項目名】００１１
【補正方法】変更
【補正の内容】
【００１１】
【課題を解決するための手段】
上記目的を達成するために、本発明の画像形成装置は、第１の種類のシートを搬送する第１の搬送手段と、前記第1の搬送手段により前記第１の種類のシートに画像を所定の向きに形成する画像形成手段と、前記画像形成手段により画像形成された第１の種類のシートに対して後処理する後処理手段と、第２の種類のシートを載置する載置手段と、前記載置手段に載置された第２の種類のシートを搬送する第２の搬送手段と、前記搬送された第１の種類のシートに前記搬送された第２の種類のシートを挿入する挿入手段とを備えた画像形成装置において、前記後処理モードおよび前記第２の種類のシートを挿入する挿入モードを個別に設定するモード設定手段と、前記モード設定手段により前記後処理モードおよび前記挿入モードの両方が設定され、前記第２の種類のシートが挿入された前記第１の種類のシートを後処理する場合に、前記載置手段に載置される前記第２の種類のシートの載置方向を報知する載置方向報知手段とを備えたことを特徴とする。
本発明の画像形成装置の制御方法は、第１の種類のシートを搬送する第１の搬送手段と、前記第1の搬送手段により前記第１の種類のシートに画像を所定の向きに形成する画像形成手段と、前記画像形成手段により画像形成された第１の種類のシートに対して後処理する後処理手段と、第２の種類のシートを載置する載置手段と、前記載置手段に載置された第２の種類のシートを搬送する第２の搬送手段と、前記搬送された第１の種類のシートに前記搬送された第２の種類のシートを挿入する挿入手段とを備えた画像形成装置の制御方法において、前記第２の種類のシートが挿入された前記第１の種類のシートに後処理を行う場合、前記載置手段に載置される前記第２の種類のシートの載置方向を報知する載置方向報知ステップを有することを特徴とする。
【手続補正７】
【補正対象書類名】明細書
【補正対象項目名】００１２
【補正方法】変更
【補正の内容】
【００１２】
【発明の実施の形態】
本発明の画像形成装置およびその制御方法の実施の形態について図を参照しながら説明する。
【手続補正８】
【補正対象書類名】明細書
【補正対象項目名】００７５
【補正方法】削除
【補正の内容】
【手続補正９】
【補正対象書類名】明細書
【補正対象項目名】００７６
【補正方法】削除
【補正の内容】
【手続補正１０】
【補正対象書類名】明細書
【補正対象項目名】００７７
【補正方法】削除
【補正の内容】
【手続補正１１】
【補正対象書類名】明細書
【補正対象項目名】００７８
【補正方法】削除
【補正の内容】
【手続補正１２】
【補正対象書類名】明細書
【補正対象項目名】００７９
【補正方法】削除
【補正の内容】
【手続補正１３】
【補正対象書類名】明細書
【補正対象項目名】００８０
【補正方法】削除
【補正の内容】
【手続補正１４】
【補正対象書類名】明細書
【補正対象項目名】００８１
【補正方法】削除
【補正の内容】
【手続補正１５】
【補正対象書類名】明細書
【補正対象項目名】００８２
【補正方法】削除
【補正の内容】
【手続補正１６】
【補正対象書類名】明細書
【補正対象項目名】００８３
【補正方法】削除
【補正の内容】
【手続補正１７】
【補正対象書類名】明細書
【補正対象項目名】００８４
【補正方法】削除
【補正の内容】
【手続補正１８】
【補正対象書類名】明細書
【補正対象項目名】００８５
【補正方法】削除
【補正の内容】